【事件の表示】
　特許第３１２０７３２号「演奏指示装置」の請求項１ないし５に係る特許に対する特許異議の申立てについて、次のとおり決定する。
【結　論】
　特許第３１２０７３２号の請求項１ないし５に係る特許を維持する。
【理　由】
第１　手続の経緯
　出願日　　　　平成８年５月１７日
　　　　　　　　（特願平８−１４６４５６号）
　審査請求　　　平成１０年１月２９日
　登録　　　　　平成１２年１０月２０日
　　　　　　　　（特許第３１２０７３２号）
　異議申立　　　平成１３年６月２１日
　　　　　　　　（異議２００１−７１７７９号）
　取消理由　　　平成１３年９月１４日
　異議の決定　　平成１３年１２月１７日
　東京高裁出訴　平成１４年２月１３日
　　　　　　　　（平成１４年（行ケ）第６６号）
　訂正審判請求　平成１４年４月１０日
　　　　　　　　（訂正２００２−３９０９０号）
　訂正審判取下　平成１４年６月３日
　訂正審判請求　平成１４年６月３日
　　　　　　　　（訂正２００２−３９１３４号）
　訂正審決　　　平成１４年７月２３日
　東京高裁判決　平成１４年９月１７日
　
第２　東京高裁判決の要旨
　訂正審決によって、異議の決定は、結果的に本件発明（請求項１ないし５）の要旨の認定を誤ったことになり、異議の決定を取り消す。
　
第３　訂正審決の要旨
　１　本件訂正発明
　　訂正明細書の特許請求の範囲（請求項の数１０）に記載された発明は「演奏指示装置」に係るものであるところ、その請求項１ないし５に記載された発明（以下、請求項１の発明を「本件訂正発明」と、請求項１を直接又は間接に引用する請求項２ないし５の発明を「他の訂正発明」という。）は、次に掲げるとおりのものである。（下線が訂正部分）
　
【請求項１】
複数のイベントで構成される
　鍵盤の図形を表示するとともに、該表示された鍵盤の各鍵に対応して演奏者が行うべき押鍵から離鍵に至る範囲を示す鍵操作領域を表示する表示手段と、
　前記読出し手段によって読み出された自動演奏データに従って、前記鍵操作領域を前記表示された鍵盤に近づいていくようにスクロールするスクロール手段とを有し、
　前記鍵操作領域
は、前記自動演奏データのイベントのオンオフに応じてスクロール方向における長さが規定され、前記自動演奏データのイベントの種類に応じて異なった表示態様で表示され、
ことを特徴とする演奏指示装置。
【請求項２】 前記表示された鍵操作領域が対応する前記表示鍵盤の鍵に到達したときに、当該鍵の表示態様を変更する鍵表示態様変更手段を有することを特徴とする請求項１記載の演奏指示装置。
【請求項３】 演奏者が音高情報を入力するための鍵盤を有し、演奏者が前記鍵盤を押鍵したときに、当該押鍵に係る鍵の音高と前記読み出された自動演奏データの音高とを比較し、当該押鍵の正誤を判定する正誤判定手段を有し、前記鍵表示態様変更手段は、該正誤判定手段による判定結果に応じて表示態様を変更することを特徴とする請求項２記載の演奏指示装置。
【請求項４】 前記表示された鍵操作領域毎に、該鍵操作領域に対応する鍵の階名または音名を当該鍵操作領域の近傍に表示する階名／音名表示手段を有することを特徴とする請求項１乃至３のいずれかに記載の演奏指示装置。
【請求項５】 前記表示された鍵操作領域が対応する前記表示鍵盤の鍵に到達したときに、演奏者が当該鍵操作領域に対応する押鍵をしない場合には、当該押鍵があるまで前記曲の再生および前記スクロールを一時停止する一時停止手段を有することを特徴とする請求項１乃至４のいずれかに記載の演奏指示装置。
　
　２　独立特許要件の判断
　　本件訂正発明の独立特許要件に関連して、上記異議申立人が挙げている異議申立の取消理由で引用された刊行物(1)ないし(5)は、次に掲げるものである。
　 (1) 刊行物１：実願平５−２９９３５号（実開平６−８４４７１号公報）のＣＤ−ＲＯＭ
　 (2) 刊行物２：特開平１−３２１４８４号公報
　 (3) 刊行物３：特開平５−１８１４０６号公報
　 (4) 刊行物４：特開平７−１４６６４０号公報
　 (5) 刊行物５：特開昭６２−３１８９６号公報
　
　　上記刊行物(1)ないし(5)には、次に掲げるアないしオが記載されている。
　　　ア　刊行物１
　　　　刊行物１には、本件訂正発明との関連において、次に掲げる発明が記載されている。
　　　　「鍵盤の図形を表示するとともに、該表示された鍵盤の各鍵に対応して演奏者が行うべき押鍵から離鍵に至る範囲を示す鍵操作領域を表示する表示手段と、
　前記鍵操作領域を前記表示された鍵盤に近づいていくようにスクロールするスクロール手段とを有し、
　前記鍵操作領域は、操作すべき鍵および操作すべきタイミングに応じた位置で、スクロール表示され、操作すべき鍵とその操作タイミングを表示することを特徴とする演奏指示装置」
　
　　　イ　刊行物２
　　　　「電子楽器等において楽音の発生を制御するための演奏データをメモリに記録するとともに、記録した演奏データを楽曲の進行に従い順次読み出して演奏する自動演奏装置に関して、表示装置の表示画面には、縦方向に鍵盤の図形が表示され、音符がその音長に対応するＸ方向の長さを有する棒で表示される自動演奏装置」
　
　　　ウ　刊行物３
　　　　「曲データに従って順次操作すべき演奏操作子を指示する演奏ガイド装置に関して、表示部には、曲データの進行状況に応じて演奏すべき音符の上部に●マークＭ１が付された楽譜が表示され、音高データに対応する鍵の近傍に位置するＬＥＤを点灯駆動する演奏ガイド装置」
　
　　　エ　刊行物４
　　　　「演奏する曲の楽譜と楽譜音標（ｎｏｔｅ）に該当する鍵盤とを表示部の画面に表示し、使用者の演奏する曲のリズム、音標及び和音（ｃｈｏｒｄ）を正確に練習し得る電子鍵盤楽器の演奏練習装置及びその制御方法に関して、黒いドットにより演奏すべき鍵盤が指示され、該当する鍵盤が押されないか又は他の鍵盤が押されると、移動されないようにし、該当する鍵盤が押されると、次に移動させる演奏練習装置及びその制御方法」
　
　　　オ　刊行物５
　　　　「曲の進行にあわせて次に押すべき鍵が視覚的に分かり易く、しかも親しみやすくした表示装置付電子楽器に関して、キーコードの一致検出をみながら、間違っていなければ正しい楽音を放音させ、間違っていれば放音が行われない表示装置付電子楽器」
　
　　そこで、本件訂正発明と刊行物１ないし５に記載された発明とを対比すると、刊行物１ないし５の発明は、本件訂正発明のように「鍵操作領域は、自動演奏データのイベントのオンオフに応じてスクロール方向における長さが規定され、自動演奏データのイベントの種類に応じて異なった表示態様で表示する」（以下「主要な事項」という。）ものではないし、刊行物１ないし５には、この主要な事項を示唆する記載もなされていない。
　　そして、本件訂正発明は、上記主要な事項により、「曲の流れを把握できるとともに、初心者でも押鍵すべき鍵を瞬時に判断することができ、これにより操作性を向上させることが可能となる」（段落【０１３９】を参照）という効果を奏するものと認められる。
　　したがって、本件訂正発明は、刊行物１ないし５の発明に基いて当業者が容易に発明をすることができたものとは認められない。
　　なお、他の訂正発明は、形式的には訂正されていないが、本件訂正発明を引用しているから、結果として、訂正され、減縮されたものであるところ、本件訂正発明と同様に、刊行物１ないし５の発明に基いて当業者が容易に発明をすることができたものとは認められない。
　　また、他に本件訂正発明及び他の訂正発明について、特許を受けることができない理由を発見しない。
　
第４　特許異議申立人の主張についての検討
　異議申立人は、申立の理由で、請求項１に係る発明は、上記刊行物１の発明と同一ないしはその発明から容易、また、請求項２ないし５に係る発明は、上記刊行物１ないし５の発明から容易であると主張しているが、上記訂正審決で判断しているように訂正された請求項１の発明は、刊行物１の発明と同一ないしはその発明に基いて当業者が容易に発明をすることができたものとは認められず、また、訂正された請求項２ないし５の発明は、刊行物１ないし５の発明に基いて当業者が容易に発明をすることができたものとは認められない。
　
第５　むすび
　以上、特許異議申立の理由及び証拠によっては、訂正された請求項１ないし５に係る特許を取り消すことはできない。
　また、他に訂正された請求項１ないし５に係る特許を取り消すべき理由を発見しない。
　よって、結論のとおり決定する。
【異議決定日】
平成１３年１２月１７日（２００１．１２．１７）